(57)【特許請求の範囲】
【請求項１】
砥粒を含有するメッキ液にワイヤーを通過させて、その外周に砥粒を電気メッキにより固着させてなる固定砥粒式のソーワイヤーの製造方法であって、
前記メッキ液を通過させたワイヤーの外表面に付着している砥粒の量を算出し、
算出された砥粒の量が予め設定された所定の数値範囲の上限値を上回った場合は、その超えた値の大きさに応じて電流値を減少させる量を予め定められた式に基づいて算出して、又はあらかじめ定めた一定量を減少させる量として、前記メッキ液中のワイヤーに流れる電流値を減少させ、
逆に前記数値範囲の下限値を下回った場合は、その下回った値の大きさに応じて電流値を増加させる量を予め定められた式に基づいて算出して、又はあらかじめ定めた一定量を増加させる量として、前記メッキ液中のワイヤーに流れる電流値を増加させ、
このようにして前記ワイヤー外表面に付着する砥粒の量のばらつきが所定範囲内に収まるように制御することを特徴とするソーワイヤーの製造方法。
【請求項２】
前記電気メッキにより外表面に第１のメッキ層を介して砥粒が付着したワイヤーを形成した後、更に該ワイヤーを砥粒を含有しないメッキ液に通過させて、電気メッキにより外表面に第２のメッキ層を形成してなる請求項１記載のソーワイヤーの製造方法。
【請求項３】
前記ワイヤーの外表面に砥粒を付着させる前記第１のメッキ層の厚さを、前記第２のメッキ層の厚さよりも薄く構成した請求項２記載のソーワイヤーの製造方法。
【請求項４】
前記メッキ液を通過させたワイヤーの外表面をカメラで撮像し、当該撮像した画像情報に基づき前記砥粒の量を算出してなる請求項１〜３の何れか１項に記載のソーワイヤーの製造方法。
【請求項５】
砥粒を含有するメッキ液にワイヤーを通過させて、その外周に砥粒を電気メッキにより固着させてなる固定砥粒式のソーワイヤーの製造装置であって、
前記砥粒を含有するメッキ液が溜められるメッキ槽と、
該メッキ液内にワイヤーを通過させるワイヤー送出手段と、
前記ワイヤーと前記メッキ液へ電流を供給する電流供給手段と、
前記メッキ液を通過させたワイヤーの外表面に付着している砥粒の量を算出する砥粒量算出手段と、
前記砥粒量算出手段により算出された砥粒の量が予め設定された所定の数値範囲の上限値を上回った場合は、その超えた値の大きさに応じて電流値を減少させる量を予め定められた式に基づいて算出して、又はあらかじめ定めた一定量を減少させる量として、前記メッキ液中のワイヤーに流れる電流値を減少させ、逆に前記数値範囲の下限値を下回った場合は、その下回った値の大きさに応じて電流値を増加させる量を予め定められた式に基づいて算出して、又はあらかじめ定めた一定量を増加させる量として、電流値を増加させ、このようにして前記ワイヤー外表面に付着する砥粒の量のばらつきが所定範囲内に収まるように制御する電流値制御手段とを備えたことを特徴とするソーワイヤーの製造装置。
【請求項６】
前記砥粒量算出手段が、前記メッキ液を通過させたワイヤーの外表面を撮像するカメラと、該カメラで撮像された画像情報に基づき前記砥粒の量を算出する演算手段とよりなる請求項５記載のソーワイヤーの製造装置。
【発明の詳細な説明】
【技術分野】
【０００１】
本発明は、シリコンの単結晶などに代表される各種電子材料のスライス工程などで使用される固定砥粒式のソーワイヤーの製造方法および製造装置に関する。
【背景技術】
【０００２】
各種電子材料のスライス工程で使用される固定砥粒式ソーワイヤーは、ワイヤーの外周にダイヤモンド、ＣＢＮ等の砥粒を固着したものであり、ダイヤモンドの固着法としてレジンボンド法や電気メッキにより砥粒を固着させる電着法がある。レジンボンド法はレジンによる砥粒の保持力が弱いたいめに寿命が短い。電着法は、寿命は長いものの、生産効率が悪い（生産速度が遅い、スペースをとる）といった欠陥を持っている。電着法の生産性を向上させるべく、メッキ液中に含有させる砥粒の量はできるだけ多く高密度とし、ワイヤーの走行速度を速めるとともに補助電極を設けて電流密度を維持することが為されている（例えば、特許文献１参照。）。また、他の方法として、砥粒が分散したメッキ液の流れの中を、該流れと同一方向にワイヤーを通過させることで砥粒を効率よく付着させることも為されている（特許文献２参照）。
【０００３】
また、電着法における更なる生産効率の向上を目指して、本出願人はすでに、液内外の回転ローラー間にワイヤーを複数回掛け渡して往復走行させる方法について出願している（特願２０１１−５６５４７参照）。このようなワイヤーを往復走行させる形態によれば、電流量を過大に増加させることなく電流密度を維持することが可能であり、しかも浸漬表面積を飛躍的に増加させることが可能なため、生産速度を著しく増加させることができる。また、ワイヤーを回転ローラー間に架け渡して複数回往復させるものであるため、主電極と補助電極を別々に設ける必要がなく、メッキ液（メッキ槽）の容量を大幅に小さくすることができ、生産効率を向上することも可能となる。
【０００４】
しかしながら、メッキ液中の砥粒の高密度化や、ワイヤーを往復走行させる方法によると、生産速度やコスト低減等、生産効率が著しく向上するものの、ワイヤー外表面に付着する砥粒の量がメッキ液中での砥粒の分散度合いやメッキ効率などの影響によって大きくばらつき、密に付着している箇所や疎に付着している箇所ができるなど、ワイヤー外表面に安定して砥粒を均一に付着・分布させることが難しいという課題がある。
【先行技術文献】
【特許文献】
【０００５】
【特許文献１】特開２００６−５５９５２号公報
【特許文献２】特開２００６−１１０７０３号公報
【発明の概要】
【発明が解決しようとする課題】
【０００６】
上記の問題点に鑑みて、本願発明の目的とするところは、砥粒の高密度化やワイヤーの往復走行等の高効率なワイヤー送出形態によっても、ワイヤー外表面に付着する砥粒の量のばらつきを抑え、砥粒の付着分布の均一化を図ることができる固定砥粒式のソーワイヤーの製造方法および製造装置を提供することにある。
【課題を解決するための手段】
【０００７】
本発明は、前述の課題解決のために、砥粒を含有するメッキ液にワイヤーを通過させて、その外周に砥粒を電気メッキにより固着させてなる固定砥粒式のソーワイヤーの製造方法であって、前記メッキ液を通過させたワイヤーの外表面に付着している砥粒の量を算出し、算出された砥粒の量が予め設定された所定の数値範囲の上限値を上回った場合は、その超えた値の大きさに応じて電流値を減少させる量を予め定められた式に基づいて算出して、又はあらかじめ定めた一定量を減少させる量として、前記メッキ液中のワイヤーに流れる電流値を減少させ、逆に前記数値範囲の下限値を下回った場合は、その下回った値の大きさに応じて電流値を増加させる量を予め定められた式に基づいて算出して、又はあらかじめ定めた一定量を増加させる量として、前記メッキ液中のワイヤーに流れる電流値を増加させ、このようにして前記ワイヤー外表面に付着する砥粒の量のばらつきが所定範囲内に収まるように制御することを特徴とするソーワイヤーの製造方法を提供する。
【０００８】
ここで、前記電気メッキにより外表面に第１のメッキ層を介して砥粒が付着したワイヤーを形成した後、更に該ワイヤーを砥粒を含有しないメッキ液に通過させて、電気メッキにより外表面に第２のメッキ層を形成することが好ましい。
【０００９】
特に、前記ワイヤーの外表面に砥粒を付着させる前記第１のメッキ層の厚さを、前記第２のメッキ層の厚さよりも薄く構成することが好ましい。
【００１０】
また、前記メッキ液を通過させたワイヤーの外表面をカメラで撮像し、当該撮像した画像情報に基づき前記砥粒の量を算出することが好ましい。
【００１１】
また本発明は、砥粒を含有するメッキ液にワイヤーを通過させて、その外周に砥粒を電気メッキにより固着させてなる固定砥粒式のソーワイヤーの製造装置であって、前記砥粒を含有するメッキ液が溜められるメッキ槽と、該メッキ液内にワイヤーを通過させるワイヤー送出手段と、前記ワイヤーと前記メッキ液へ電流を供給する電流供給手段と、前記メッキ液を通過させたワイヤーの外表面に付着している砥粒の量を算出する砥粒量算出手段と、前記砥粒量算出手段により算出された砥粒の量が予め設定された所定の数値範囲の上限値を上回った場合は、その超えた値の大きさに応じて電流値を減少させる量を予め定められた式に基づいて算出して、又はあらかじめ定めた一定量を減少させる量として、前記メッキ液中のワイヤーに流れる電流値を減少させ、逆に前記数値範囲の下限値を下回った場合は、その下回った値の大きさに応じて電流値を増加させる量を予め定められた式に基づいて算出して、又はあらかじめ定めた一定量を増加させる量として、電流値を増加させ、このようにして前記ワイヤー外表面に付着する砥粒の量のばらつきが所定範囲内に収まるように制御する電流値制御手段とを備えたことを特徴とするソーワイヤーの製造装置をも構成した。
【００１２】
ここで、前記砥粒量算出手段が、前記メッキ液を通過させたワイヤーの外表面を撮像するカメラと、該カメラで撮像された画像情報に基づき前記砥粒の量を算出する演算手段とよりなるものが好ましい。
【発明の効果】
【００１３】
以上にしてなる本願発明によれば、砥粒、とくに導電性の金属膜がコーティングされた砥粒がメッキ液中で帯電しており、電流値を上げるとクーロン力が大きくなってワイヤー外表面への付着がより促進され、逆に電流値を下げるとクーロン力が小さくなってワイヤー外表面へ付着しにくくなることにより、ワイヤー外表面に付着する砥粒の量のばらつきが調整でき、所定範囲内に収まるように制御することができる。つまり、砥粒の高密度化やワイヤーの往復走行等によってメッキ液中での砥粒の分散度合いやメッキ効率などが低下しても、ワイヤー外表面に付着する砥粒の量のばらつきを抑え、砥粒の付着分布の均一化を図ることができる。
【００１４】
また、このように電流値を増減させることは、メッキ層の厚みや性質のばらつきを引き起こすことから、電気メッキの通常の技術常識からは考えられないことである。本発明はあえて電流値を増減させ、砥粒の付着分布の均一化という従来求められていなかった課題を解決したものであるが、そのメッキ層については、厚みや性質のばらつきが生じることが避けられない。しかしながら、このように電流値を増減させてワイヤー外表面に第１のメッキ層を介して砥粒が付着させた後、更に該ワイヤーを砥粒を含有しないメッキ液に通過させて、電気メッキにより外表面に第２のメッキ層を形成するので、該第２のメッキ層によって第１のメッキ層の上記ばらつきの影響をメッキ層全体として相対的に小さくすることが可能となり、メッキ層の品質を維持することができる。
【００１５】
特に、ばらつきの影響を受ける第１のメッキ層の厚さを、前記第２のメッキ層の厚さよりも薄く構成したので、その相対的な影響度をより小さくし、全体として高品質なメッキ層が得られる。
【００１６】
また、メッキ液を通過させたワイヤーの外表面をカメラで撮像し、当該撮像した画像情報に基づき前記砥粒の量を算出するので、ワイヤー外表面に付着している砥粒の量を正確に算出することができる。
【図面の簡単な説明】
【００１７】
【図１】本発明の代表的実施形態に係るソーワイヤー製造装置の全体構成を示す説明図。
【図２】同じくソーワイヤー製造装置の要部の構成を示す説明図。
【図３】同じくソーワイヤー製造装置を構成する制御コンピュータを示すブロック構成図。
【図４】（ａ）は砥粒が付着したワイヤーに対するカメラの撮像領域を示す説明図。（ｂ）〜（ｄ）は取得される画像情報の例を示す説明図。
【図５】画像情報を外形認識データに変換する様子を示す説明図。
【図６】本発明の代表的実施形態に係るソーワイヤー製造装置の要部の構成を示す説明図。
【発明を実施するための形態】
【００１８】
次に、本発明の実施形態を添付図面に基づき詳細に説明する。
【００１９】
本発明のソーワイヤーの製造装置１は、図２に示すように、砥粒Ｄを含有するメッキ液Ｍ１にワイヤーＷを通過させ、その外周に砥粒Ｄを電気メッキにより固着（電着）させる固定砥粒式ソーワイヤーの製造装置であり、砥粒Ｄを含有するメッキ液Ｍ１が溜められるメッキ槽１６Ａと、メッキ液Ｍ１内にワイヤーＷを通過させるワイヤー送出手段２と、ワイヤーＷとメッキ液Ｍ１に電流を供給する電流供給手段３と、メッキ液Ｍ１を通過させたワイヤーＷの外表面に付着している砥粒Ｄの量を算出する砥粒量算出手段４と、算出された砥粒の量に基づき電流供給手段３によるメッキ液Ｍ１中のワイヤーＷに流れる電流値を増減させてワイヤー外表面に付着する砥粒の量のばらつきを所定範囲内に収まるよう制御する電流値制御手段５とを少なくとも備えている。
【００２０】
図１は、本発明に係るソーワイヤーの製造装置１の全体構成を示す説明図である。本例では、ワイヤーＷが送り出される送り出し機１０から、ワイヤー６の走行方向に沿って順に、ワイヤをアルカリ脱脂するためのアルカリ槽１１、水洗するための水洗槽１２、酸洗するための酸槽１３、水洗するための水洗槽１４、砥粒をワイヤー外周に仮付着させる第１のメッキ槽１６Ａ、さらに外表面に第２のメッキ層を形成する第２のメッキ槽１６Ｂ、水洗槽１７、巻取り機１８が配置されている。このようにして得られたソーワイヤーは、各種の用途に供される。
【００２１】
第１のメッキ槽１６Ａの砥粒を含有するメッキ液の組成としては、特に限定はなく、砥粒を電気メッキにより固着させる際に用いられる一般的な成分組成のものを採用することができる。例えばニッケル含有有機酸、ニッケル含有無機酸などを含有するものが挙げられるがこれに何ら限定されない。また、光沢剤、ｐＨ緩衝剤などを適宜添加しても良い。第２のメッキ槽１６Ｂのメッキ液の組成についても、従来から公知のものを使用でき、第１のメッキ槽１６Ａのメッキ液と同じ主成分とすることが好ましい。
【００２２】
メッキ液に含有される砥粒は、例えばダイヤモンド、ＣＢＮ等の超砥粒が挙げられるが、これらに限定されない。砥粒の粒径についてもソーワイヤーとして用いることができる程度であれば特に限定はないが、例えばダイヤモンド砥粒であれば５〜１００μｍであるとよい。砥粒の表面には金属膜がコーティングされる。またワイヤーＷは、特に限定はなく、金属、非金属、各種のものを用いることができる。金属としては、従来と同様、タングステンワイヤーやピアノ線、焼きもどし温度４００℃以上のダイス鋼、ハイス、ステンレス鋼等を用いることができる。非金属としては、炭素繊維、アラミド繊維、アルミナ繊維、ボロン繊維、シリコンカーバイド繊維などを用いることができる。また、非金属性のものを用いる場合は、その表面に導電性を付与するための一般的なメッキ処理を施しておくとよい。
【００２３】
本例では、図１に示すように第１のメッキ槽１６Ａと第２のメッキ槽１６Ｂにより２段メッキを行う構成を採用しているが、第２のメッキ槽を省略し、第１のメッキ槽のみでメッキ完了させるものでも勿論よい。またその他の各槽の構造、配置、選択、組み合わせについても本例に何ら限定されるものではなく、電気メッキにより砥粒を固定する従来から公知のソーワイヤー製造装置の形態を広く採用することができる。また、本例では以下に説明するように第１、第２のメッキ槽１６Ａ，１６Ｂにおけるワイヤー送出及び電流供給の形態として、液内外の回転ローラー間にワイヤーを複数回掛け渡して往復走行させる形態を例示しているが、このような形態以外の従来から公知の形態を採用することも勿論可能である。
【００２４】
第１のメッキ槽１６Ａには、図２及び図６に示すように液外の回転ローラー２０と液内の回転ローラー２１が配され、水洗槽１４を通って供給されるワイヤーＷがこれらメッキ液内外の回転ローラー２０、２１の間に複数回架け渡されて、メッキ液Ｍ１の内外を複数回往復走行し、これによりワイヤーＷ外周に砥粒Ｄが付着された後、第２のメッキ槽１６Ｂに供給される。本例では図６に示すようにワイヤーＷが２つの回転ローラー２０、２１を螺旋状に巻き回すようにして（ワイヤーＷにより形成される螺旋の内側に２つの回転ローラー２０、２１が配される）、メッキ液Ｍ１の内外を複数回往復する。これら回転ローラー２０、２１は、送り出し機１０、巻取り機１８とともに上記ワイヤー送出手段２として機能する。
【００２５】
各回転ローラー２０、２１は、軸方向が互いに平行且つメッキ液Ｍ１液面と平行となるように配されている。またメッキ液内には、メッキ液Ｍ１を撹拌する撹拌翼２２とともに、陽極３１が上記往復走行するワイヤーＷと平行に配されている。回転ローラー２０と陽極３１には、それぞれ給電装置３０が接続され、回転ローラー２０の外周面を通じてワイヤーＷにも電流が供給される。本例では回転ローラー２０、２１間を往復しているワイヤーＷの各ループが陰極となり、陽極３１近傍にてワイヤーＷの外周部にメッキ被膜を介して砥粒Ｄが付着する。すなわち回転ローラー２０は、給電装置３０、陽極３１とともに上記電流供給手段３として機能する。
【００２６】
尚、本例ではメッキ液Ｍ１内外の２つの回転ローラー２０、２１に対してワイヤーＷを螺旋状に巻き回すようにして走行するものであるが、ワイヤーＷが回転ローラー２０と回転ローラー２１との間を横切るように、つまり「８」の字を描くようにして架け渡してもよい。また、ワイヤーＷを掛け渡す回転ローラーを３つ以上設けてもよい。電流供給手段３として機能する回転ローラー２０は、ワイヤーＷに電気導通するために全体を導電性材料としたり、ワイヤーＷに接触する外周部分に導電性材料が配される。導電性材料としては金属、導電性高分子等が挙げられる。
【００２７】
砥粒量算出手段４は、図２及び図６に示すように、第１のメッキ槽１６Ａから出て走行しているワイヤーＷの外表面を撮像するカメラ４０と、該カメラ４０で得られた画像情報に基いてワイヤーＷ外表面に付着している砥粒Ｄの量を算出する制御コンピュータ６から構成されている。制御コンピュータ６は、上記カメラ４０と給電装置３０がそれぞれ接続されており、カメラ４０から受信した画像情報に基いて砥粒の量を算出する砥粒量算出手段４として機能すると同時に、算出された砥粒の量に基づき、給電装置３０に対して第１のメッキ槽１６Ａを走行するワイヤーＷに流す電流値を増減させる制御信号を送信し、第１のメッキ槽１６Ａでワイヤー外表面に付着する砥粒の量のばらつきを所定範囲内に収まるよう制御する電流値制御手段５としても機能する。
【００２８】
尚、カメラ４０の位置は、第１のメッキ槽１６Ａと第２のメッキ槽１６Ｂの間や、第２のメッキ槽１６Ｂと水洗槽１７の間、水洗槽１７と巻取り機１８の間、第１のメッキ槽１６Ａ内部など適宜な位置に設けることができ、その数も一つに限らず、例えばワイヤーＷに沿って所定間隔をおいて複数設けて効率よく複数の画像が得られるようにしてもよい。
【００２９】
制御コンピュータ６は、図３に示すように、処理装置６０と記憶手段６１を備え、処理装置６０に上記給電装置３０及びカメラ４０が接続されている。処理装置６０はマイクロプロセッサなどのＣＰＵを主体に構成され、図示しないＲＡＭ、ＲＯＭからなる記憶部を有して各種処理動作の手順を規定するプログラムや処理データが記憶される。
【００３０】
処理装置６０は、機能的にはカメラ４０から受信する画像情報を記憶手段６１の画像情報記憶部６１ａに記憶する画像情報取得処理部６０ａと、前記画像情報記憶部６１ａに記憶された画像情報に基づいて砥粒の量を算出する砥粒量算出処理部６０ｂと、前記砥粒量算出処理部６０ｂで算出された砥粒の量が予め設定された所定の範囲内にあるか否か判定する判定処理部６０ｃと、前記判定処理部６０ｃの判定結果に応じて、電流値を増減させる制御信号を生成し、該信号を給電装置３０に送信する電流値制御処理部６０ｄとを少なくとも備えており、これら機能は上記プログラムにより実現される。また記憶手段６１は、制御コンピュータ６内外のハードディスク等からなり、取得した画像情報を記憶する画像情報記憶部６１ａを少なくとも備えている。これら記憶手段６１としては、上記ハードディスク等以外に、一時記憶領域に保存するようなケースも勿論含まれる。
【００３１】
画像情報取得処理部６０ａは、カメラ４０から短時間の連続した画像データを継続して取得してもよいし、短時間の連続した所定枚数の画像データを所定時間おきに取得してもよいし、所定時間おきに一つの画像データを取得してもよし、他の取得形態でもよい。図４（ａ）は第１のメッキ層ｍ１を介して砥粒Ｄが付着しているワイヤーＷに対し、カメラ４０で撮像される領域６２を示す概略図であり、図４（ｂ）〜（ｄ）はそれぞれ画像情報取得処理部６０ａにより取得され、記憶手段６１の画像情報記憶部６１ａに記憶される画像情報の例を示している。
【００３２】
砥粒量算出処理部６０ｂは、画像情報記憶部６１ａに記憶された画像情報に基づき、砥粒の量として砥粒の数量、面積比などの数値として算出する。この数量や面積比は、画像情報の全体又は所定領域に含まれる砥粒を認識してその数や面積比を算出することもできるし、図５に示すように外形上、所定の高さ以上に突出している部分を砥粒と認識してその数を算出することも可能であり、その他、同じく付着した砥粒の量を反映する数値でもよい。本例では、図４（ｂ）〜（ｄ）に示すように複数の画像情報について各画像情報から得られる前記砥粒の数又は面積比を合算し、この合算値又は平均値を砥粒の量としても算出している。勿論、上記したように図５のように複数の画像情報（ａ）〜（ｃ）を（ａ’）〜（ｃ’）のように所定高さ以上に突出している部分を識別した外形認識データに変換してその部分の数の合算値又は平均値を砥粒の量として算出してもよい。
【００３３】
判定処理部６０ｃは、前記砥粒量算出処理部６０ｂで算出された砥粒の量、例えば砥粒の数の合算値が、予め設定された所定の数値範囲内にあるか否か判定する。判定処理部６０ｃによる判定の結果、例えば前記合算値が前記数値範囲の上限値を上回った場合は、電流値制御処理部６０ｄがその超えた値の大きさに応じて電流値を減少させる量を予め定められた式に基づいて算出し、減少させる制御信号を生成して給電装置３０に送信する。逆に下限値を下回った場合には、その下回った値の大きさに応じて電流値を増加させる量を予め定められた式に基づいて算出し、増加させる制御信号を生成して給電装置３０に送信する。このような電流値の増減量を式に基づいて算出するのではなく、あらかじめ一定の増減量に決めておいてもよい。
【００３４】
第２のメッキ槽１６Ｂは、メッキ液Ｍ２に砥粒が含有されない以外は、上記第１のメッキ槽１６Ａとほぼ同様の構成であり、メッキ液Ｍ２内外の２つの回転ローラー２０、２１に対してワイヤーＷを複数回往復走行させ、液外の回転ローラー２０と液内の陽極に電流が供給される。そして、第１のメッキ槽１６Ａから供給され、外表面に第１のメッキ層を介して砥粒が付着しているワイヤーに対して、更に電気メッキで外表面に第２のメッキ層を形成する２段メッキが行われる。ただし、第２のメッキ層は第１のメッキ層に比べて厚く、できるだけ均一厚のメッキ層を形成するために、供給される電流値は好ましくは一定とし、電流密度を一定に保ってソーワイヤー全体のメッキ厚の均一化が図られる。好ましくは第１のメッキ層の厚さが第２のメッキ層を含めた全メッキ厚の３０％以下となるように調整される。
【００３５】
このように本例では第１のメッキ槽１６Ａ，第２のメッキ槽１６Ｂの双方について、液内外の回転ローラー２０、２１間にワイヤーを複数回掛け渡して往復走行させる形態としたが、いずれが一方のみこのような形態とし、他方は従来から公知のワイヤーを往復走行させることのない一般的な形態としてもよい。すなわち、第１のメッキ槽１６Ａを前記一般的な形態として、第２のメッキ槽１６Ｂを前記往復走行させる形態として生産の効率化を図ることも可能であり、その逆も可能である。
【００３６】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００３７】
１  製造装置
２  ワイヤー送出手段
３  電流供給手段
４  砥粒量算出手段
５  電流値制御手段
６  制御コンピュータ
１０  送り出し機
１１  アルカリ槽
１２  水洗槽
１３  酸槽
１４  水洗槽
１６Ａ  第１のメッキ槽
１６Ｂ  第２のメッキ槽
１７  水洗槽
１８  巻取り機
２０、２１  回転ローラー
２２  撹拌翼
３０  給電装置
３１  陽極
４０  カメラ
６０  処理装置
６０ａ  画像情報取得処理部
６０ｂ  砥粒量算出処理部
６０ｃ  判定処理部
６０ｄ  電流値制御処理部
６１  記憶手段
６１ａ  画像情報記憶部
６２  領域
Ｄ  砥粒
Ｍ１  メッキ液
Ｍ２  メッキ液
Ｗ  ワイヤー
ｍ１  メッキ層
【図１】
0005765048.tif 000002
【図２】
0005765048.tif 000003
【図３】
0005765048.tif 000004
【図４】
0005765048.tif 000005
【図５】
0005765048.tif 000006
【図６】
0005765048.tif 000007